(57)【要約】【課題】　遊技者がゲームを行っていくうちに、ボーナス入賞への期待感を徐々に持つことができる演出がなされる遊技台の提供する。【解決手段】　ボーナスゲーム以外のゲーム状態において、連続する複数のゲームにまたがり、内容が異なり、かつ相互に関連性のある連続演出を行う機能を含むことを特徴とする。【選択図】　図６
2004033796.tif 000002
【特許請求の範囲】
【請求項１】
　複数種類の絵柄よりなるリールを複数列備え、遊技媒体を投入し、ゲームの開始操作により前記複数列のリールをリール絵柄表示窓上で移動を開始させると同時に、制御部の内部抽選により入賞の当否を確定し、各リールに対応した停止動作に対して、前記各リールを前記内部抽選に基づいた所定の前記絵柄組み合わせをリール絵柄表示窓上に表示させるように制御して停止させ、停止した前記リール絵柄表示窓上の絵柄の組み合わせから入賞を定め、所定数の遊技媒体を払い出す遊技台であって、
　連続する複数のゲームにまたがり、内容が異なり、かつ相互に関連性のある連続演出を行う機能を含むことを特徴とする遊技台。
【請求項２】
　前記連続演出は、少なくとも、ボーナスに内部入賞したことを報知する告知ランプの作動が行われるより以前に、開始することを特徴とする請求項１記載の遊技台。
【請求項３】
　前記連続演出は、少なくとも、前回のゲームでの演出内容により今回のゲームでの演出内容が導きだされる演出、又は前回のゲームでの演出内容および前回ゲームでの遊技台の内部情報により今回のゲームでの演出内容が導きだされる演出のいずれか１つの演出であることを特徴とする請求項１項または２項のいずれか１つに記載の遊技台。
【請求項４】
　前記連続演出は、ボーナスに内部賞していないゲームにおける抽選による当選、ボーナスに内部入賞した当該ゲーム、ボーナスに内部入賞したゲームより所定のゲーム数が経過した時、およびボーナスに内部入賞したゲーム以降における抽選による当選の、少なくともいずれか１つのタイミングにより開始されることを特徴とする請求項１乃至３項のいずれか１つに記載の遊技台。
【請求項５】
　ボーナスに内部入賞している場合の前記連続演出は、少なくとも、
　リール停止制御の滑りコマ数をゲームの進行に伴い増加させる制御か、
　又はリール停止のための制御を行なうデータテーブルをボーナス絵柄に関するリーチ目がほとんど出現しないデータテーブルから確実にボーナスに内部入賞していることが判るデータテーブルまで段階的に複数備え、ゲームの進行に伴い、前記ボーナス絵柄に関するリーチ目がほとんど出現しないデータテーブルを使用する制御から、順次、前記確実にボーナスに内部入賞していることが判るデータテーブルまでを使用する制御の、いずれか１つの制御により開始されることを特徴とする請求項１乃至４項のいずれか１つに記載の遊技台。
【請求項６】
　ボーナスに内部入賞していない場合の前記連続演出は、少なくとも、
　前記リール停止制御の滑りコマ数をゲームの進行に伴い増加させる制御か、
　又はリール停止のための制御を行なうデータテーブルをボーナス絵柄に関するリーチ目がほとんど出現しないデータテーブルからボーナスに内部入賞していること期待させるもののボーナスに内部入賞しているか否か確実でないチャンス目が出現するデータテーブルまで段階的に複数備え、ゲームの進行に伴い、前記ボーナス絵柄に関するリーチ目がほとんど出現しないデータテーブルを使用する制御から、順次、前記ボーナスに内部入賞していることを期待させるもののボーナスに内部入賞しているか否かが確実でないチャンス目が出現するデータテーブルまでを使用する制御の、いずれか１つの制御により開始されることを特徴とする請求項１乃至４項のいずれか１つに記載の遊技台。
【請求項７】
　前記連続演出は、少なくとも、画像表示装置、効果音発生装置、振動発生器装置および発光装置のいずれか１つによる連続演出であることを特徴とする請求項１乃至６項のいずれか１つに記載の遊技台。
【請求項８】
　前記遊技台がスロットマシンであることを特徴とする請求項１乃至７項のいずれか１つに記載の遊技台。
【発明の詳細な説明】
【技術分野】
【０００１】
　本発明は、遊技媒体（メダル、玉等）を投入し、複数の種類の絵柄からなるリール（リール）を移動（回転）させ、それが停止した際にリール絵柄表示窓上に停止した絵柄の組み合わせから入賞が定められ、所定の遊技媒体の払い戻しを受けることを楽しむ遊技台（スロットマシン、パチンコ、ゲーム機等）に関する。
【背景技術】
【０００２】
　スロットマシンを例にとると、従来のスロットマシンは、リール上に異種の絵柄が複数配列されリールを、例えば３個備え、ゲームの開始とともに全部のリールを同時に回転させる。次に、全部のリールが停止した時、各リール相互間の絵柄の組み合わせにより、入賞が判定され、それに応じたメダル等の払い出される。また、近年のスロットマシンでは、遊技者が期待を持ってゲームができるように、多くのメダルが獲得できるボーナスゲームなどの特典をルールとして定めたスロットマシンが広く知られている。このボーナスゲームの特典は、各リールが停止した時点で、各リール相互間の絵柄の組み合わせが例えば、「７―７―７」となった場合に、所定枚数のメダルが払い出されるとともに、それ以降の所定のゲーム数が高確率状態となり多くのメダルを獲得できる機会が遊技者に与えられるようになっている。このボーナスゲームは遊技者にとって、多量のメダルを獲得できる良い機会ではあるが、ボーナスゲームに突入する確率が低いため、ある時は非常に多くの回数のゲームを行っても全くボーナスゲームの入賞が無く、また逆にある時は短いゲーム間隔において連続してボーナスゲーム入賞するといったバラツキが見られた。
【０００３】
　最近のスロットマシンでは、ハズレのゲームを含む全ての入賞役がバラツキなく平均的に発生するように、すなわちペイアウト率がほぼ一定になるように、マイクロコンピュータ（ＣＰＵ）を用い、ゲーム開始と同時に、入賞する可能性のある絵柄の組み合わせを決定する制御が行われているのが一般的である。このＣＰＵによる制御により駆動されるスロットマシンでは、遊技者がゲームを開始しスタートレバーを操作すると同時に、内部抽選が行われ、抽選に当選した場合（内部入賞した場合）は、内部入賞の絵柄の組み合わせが決定され、内部入賞情報として積極的に遊技者へ報知する、いわゆる演出が行われている。また、擬似的に内部入賞しているような報知をして、期待感を持たせ、遊技者がゲームにあきないようにもしている。なお、演出の種類としては具体的に、後述するリーチ目によるものや、バックライトやランプ類の点灯／点滅や効果音などを用いて遊技者がゲームを楽しめる効果を出すものなどがある。
【０００４】
　ゲームにおいて演出が実施されるタイミングの主なものとしては、スタートレバーを操作した時や、各リールが停止した時などがあり、通常、これらの演出の種類が単独あるいは複数組み合わされ、また演出が実施されるタイミングも同様に1回あるいは異なるタイミングで複数回行われている。また、従来のスロットマシンにおける演出は、１ゲームで完結されるものであるか、あるいは、告知ランプが作動し、点灯する場合などのように、連続して行われるゲーム間でなされるものであっても変化の無い、お互いに関連の無い内容で、同じ内部状態に関する内容を演出するものであった。そのため、例えば、ボーナスゲームに移行する期待感のある演出がなされても、次のゲームではその演出が終了し、ボーナス入賞期待が消失するか、あるいはそのまま唐突にボーナスゲームに入賞する等、遊技者にとって違和感を得るといった問題点、または、告知ランプの作動のように変化のない演出のため、遊技者にボーナス入賞への期待感を高める効果が少ないという欠点があった。
【発明の開示】
【発明が解決しようとする課題】
【０００５】
　本発明は、このような従来技術の課題を解決するためになされたものであって、本発明の解決しようとする課題は、遊技者がゲームを行っていくうちに、ボーナス入賞への期待感を徐々に持つことができる演出がなされる遊技台の提供を目的とする。
【０００６】
　すなわち、ゲームを行っていくと、ある時演出が始まり、その演出が複数ゲームに渡り連続的に変化をし、かつ、相互に関連性のあるパターンを示すことにより、ボーナス入賞を強く期待することができ、更に、ボーナス内部入賞時には、最終的にボーナスゲームに移行できるという過程を楽しめる遊技台を提供するところにある。なお、本願発明の演出（以下、「連続演出」と記す）とは、連続する複数ゲーム間において、ボーナス入賞を期待させる、内容の異なる、かつ、相互に関連性を有する報知を言い、この連続演出を遊技者に対して行うことにより遊技者にボーナス入賞への期待感を付与することができる。
【課題を解決するための手段】
【０００７】
　本発明は、この課題を解決するためになされたものであって、本発明によれば、複数種類の絵柄よりなるリールを複数列備え、遊技媒体を投入し、ゲームの開始操作により複数列のリールをリール絵柄表示窓上で移動を開始させると同時に、制御部の内部抽選により入賞の当否を確定し、各リールに対応した停止動作に対して、各リールを内部抽選に基づいた所定の絵柄組み合わせをリール絵柄表示窓上に表示させるように制御して停止させ、停止したリール絵柄表示窓上の絵柄の組み合わせから入賞を定め、所定数の遊技媒体を払い出す遊技台であって、連続する複数のゲームにまたがり、内容が異なり、かつ相互に関連性のある連続演出を行う機能を含むことを特徴とする。
【０００８】
　更に、連続演出は、少なくとも、ボーナスに内部入賞したことを報知する告知ランプの作動が行われるより以前に、開始することを特徴とする。
【０００９】
　更に、連続演出は、少なくとも、前回のゲームでの演出内容により今回のゲームでの演出内容が導きだされる演出、又は前回のゲームでの演出内容および前回ゲームでの遊技台の内部情報により今回のゲームでの演出内容が導きだされる演出のいずれか１つの演出であることを特徴とする。
【００１０】
　更に、連続演出は、ボーナスに内部賞していないゲームにおける抽選による当選、ボーナスに内部入賞した当該ゲーム、ボーナスに内部入賞したゲームより所定のゲーム数が経過した時、およびボーナスに内部入賞したゲーム以降における抽選による当選の、少なくともいずれか１つのタイミングにより開始されることを特徴とする。
【００１１】
　更に、ボーナスに内部入賞している場合の連続演出は、少なくとも、リール停止制御の滑りコマ数をゲームの進行に伴い増加させる制御か、又はリール停止のための制御を行なうデータテーブルをボーナス絵柄に関するリーチ目がほとんど出現しないデータテーブルから確実にボーナスに内部入賞していることが判るデータテーブルまで段階的に複数備え、ゲームの進行に伴い、このボーナス絵柄に関するリーチ目がほとんど出現しないデータテーブルを使用する制御から、順次、確実にボーナスに内部入賞していることが判るデータテーブルまでを使用する制御の、いずれか１つの制御により開始されることを特徴とする。
【００１２】
　更に、ボーナスに内部入賞していない場合の連続演出は、少なくとも、リール停止制御の滑りコマ数をゲームの進行に伴い増加させる制御か、又はリール停止のための制御を行なうデータテーブルをボーナス絵柄に関するリーチ目がほとんど出現しないデータテーブルからボーナスに内部入賞していること期待させるもののボーナスに内部入賞しているか否か確実でないチャンス目が出現するデータテーブルまで段階的に複数備え、ゲームの進行に伴い、ボーナス絵柄に関するリーチ目がほとんど出現しないデータテーブルを使用する制御から、順次、ボーナスに内部入賞していることを期待させるもののボーナスに内部入賞しているか否かが確実でないチャンス目が出現するデータテーブルまでを使用する制御の、いずれか１つの制御により開始されることを特徴とする。
【００１３】
　更にまた、連続演出は、少なくとも、画像表示装置、効果音発生装置、振動発生器装置および発光装置のいずれか１つによる連続演出であることを特徴とする。
【００１４】
　更に、上記の各特徴を備えるスロットマシンであることを特徴とする遊技台を提供することにより、本発明が解決しようとする課題の解決を達成できる。
【発明の効果】
【００１５】
　本発明によれば、連続する複数のゲームにおいて、内容の異なる、かつ、相互に関連性のある演出を行うことにより、遊技者に対して、ボーナス入賞の期待を抱かせ、更に違和感のないボーナス入賞へ移行でき、遊技意欲が湧き、かつ、期待感の高い遊技機を提供することができる。
【発明を実施するための最良の形態】
【００１６】
　以下、本発明を、本発明の実施の形態の１例であるスロットマシンを例にとって、添付図面を用い詳細に説明する。
【００１７】
　＜スロットマシンの外観構成＞
　図１は本発明を適用した実施の形態例のスロットマシンの外観を示す斜視図である。図１に示すこのスロットマシン本体１００の中央部には、各々の外周面に特定絵柄を含む複数種類の絵柄を配列したリールが３個（左リール１０１、中リール１０２、右リール１０３）収納され、本体１００の内部で回転できるように構成されている。各リール１０１〜１０３の絵柄は、本体１００の正面のリール絵柄表示窓１１５〜１１７より、各リール毎に縦方向に３つの絵柄を表示し、遊技者が見ることができるようになっている。従って、リールが停止した時にはリール絵柄表示窓１１５〜１１７には、３×３の合計９個の絵柄が遊技者に表示されることになる。
【００１８】
　参照番号１０４は乱数による内部抽選の結果、各ボーナス（ビッグボーナス：以下ＢＢ、レギュラーボーナス：以下ＲＢ）に内部入賞した状態を内部情報として遊技者に報知するための告知ランプである。参照番号１０５はリール絵柄表示窓１１５〜１１７に停止した絵柄の組み合わせが入賞であることを遊技者へ知らせるＷｉｎランプである。参照番号１０６はゲームが開始されたことを遊技者に知らせるためのスタートランプである。参照番号１０７は前回のゲーム開始から今回のゲーム開始までの時間が規定値以下であるときに、今回のゲームが待機中であることを遊技者に知らせるためのウエイトランプである。参照番号１０８はリプレイランプで、リール絵柄表示窓１１５〜１１７に停止した絵柄の組み合わせがリプレイ役に入賞した時に遊技者へ次のゲームがリプレイ（再遊技）であることを知らせるランプである。
【００１９】
　参照番号１０９は、遊技者が獲得したメダルを例えば最大５０枚までクレジットしていることを遊技者に場合に表示するためのクレジット表示器である。参照番号１１０はメダルのインサートランプで、ゲーム開始のために遊技者にメダルの投入を促すランプである。参照番号１１１は、液晶表示装置（ＬＣＤ）や、ＣＲＴ等の画像表示装置であって、ボーナス入賞等の期待感を連続演出により期待感を付与したり、あるいは、遊技機の内部情報、ゲームの経過情報等を各遊技状態に応じてキャラクター等を用いて遊技者に表示するものである。参照番号１１２は、ＢＢやＲＢ等のゲーム回数、またはゲームの期待感を高める演出等を行うための３色３桁７セグメント表示装置である。参照番号１１３はリール絵柄表示窓１１５〜１１７に停止した絵柄の組み合わせが入賞役である場合に払い出されるメダルの枚数を表示するペイアウト表示器である。
【００２０】
　参照番号１１４は入賞有効ラインの表示をするためのランプであり、投入されたメダルの枚数に対応した有効ラインの位置や、リール絵柄表示窓１１５〜１１７に揃った絵柄の入賞ラインを表示するための有効ライン表示ランプである。ここで、リール絵柄表示窓１１５〜１１７に揃った絵柄が入賞と判定される有効ラインは、一般にメダルを１枚投入した時は中段の水平ライン１ライン、メダルを２枚投入した時は中段の水平ラインに上下の水平ライン２ラインを加えた３ライン、メダルを３枚投入した時は更に左上から右下への斜めの線並びに左下から右上への斜めの線を加えた５ラインが入賞有効ラインとなる。参照番号１１８はゲームを開始するに当たって遊技者がメダルを投入するメダル投入口である。参照番号１１９、１２０、１２１はクレジットからのクレジットベットボタンで、１１９はメダル最大３枚掛ボタン、１２０はメダル最大２枚掛ボタン、１２１はメダル１枚掛ボタンであり、各々のボタンを操作することにより１回のゲームに１〜３枚のメダルをクレジット表示器１０９に表示されている中から遊技機に投入（ベット）できる。
【００２１】
　参照番号１２２はクレジット表示器１０９に貯留されているメダルを精算して排出するための精算ボタン、および遊技者が入賞により獲得したメダルを例えば５０枚までスロットマシン本体内に貯留するか否かを切換えるためのクレジット切換ボタンの両方を兼用しているクレジット兼精算ボタンである。参照番号１２３〜１２５はリール１０１〜１０３を停止するためのストップボタンで、各リールに対応して備えてある。即ち、左リール１０１に対しては左リールストップボタン１２３、中リール１０２に対して中リールストップボタン１２４、右リール１０３に対して右リールストップボタン１２５が対応している。参照番号１２６はゲームを開始させるためのスタートレバーであって、この操作を行うと、各々のリール１０１〜１０３が一斉に回転を開始すると同時に、遊技機の内部（制御部）では入賞する入賞役を決定するための乱数抽選が行われる。
【００２２】
　参照番号１２７は遊技機の内部に設けてあるスピーカの音を出力するための音孔であり、各々の遊技状態に応じて効果音を発生する。参照番号１２８は入賞時のメダルの払出口であり、払い出されたメダルは受皿１２９に溜まるようになっている。参照番号１３０は各入賞役に対応して払い出されるメダルの配当枚数を表示している表示板（オッズパネル）である。参照番号１３１、１３２はフリッカー表示ランプであり、各々の遊技状態に応じて内部のランプを点灯／消灯／点滅してゲームを盛り上げる装飾ランプである。ここで、参照番号１３１は遊技者に対して光を照射するものであり、１３２は遊技場全体に対して各々の遊技状態を表示するものである。参照番号１３３は、遊技者の操作により報知や演出やサービス等の機能の作動を停止（不可能）したり、バックライトによるルーレットを停止させたり、その他の演出動作を停止させたり、切替えたりする停止スイッチである。
【００２３】
　この停止スイッチ１３３は、以下に説明するような所定の機能の作動を可能としたり、不可能としたり、又は所定の機能の作動を選択的（例えば交互）に可能または不可能としたり、又は所定の機能の動作（内容）を切替えたりするスイッチとして用いることができることはいうまでもない。上述の所定の機能の例としては、ルーレットを模したバックライトの演出含む演出や、電子ルーレット表示装置や、またはディジタル表示装置（ディジタルの数の回転）による演出や、遊技者のストップボタンの操作により各リールが前記リール絵柄表示窓上に停止するリール停止装置とは別に設けた演出用のリール装置のリールの回転・表示や、またはこれらの組み合せによる演出や、遊技台の内部抽選によりハズレを含む小役又はＢＢ又はＲＢに内部当選したことを報知する機能や、所定のゲーム数の間に遊技者が投入した遊技媒体の数を表示する機能や、所定のゲーム数の間に入賞により払い出された遊技媒体の数を表示する機能や、遊技者よるストップボタンが操作された時より各リールがリール絵柄表窓上に停止表示されるまでに移動した絵柄の移動駒数を表示する機能や、所定のゲーム数の間の入賞役の当選回数を表示する機能や、所定のゲーム数の間のスランプグラフを表示する機能や、リール絵柄表示窓上に表示された場合にボーナス又はビッグボーナスに内部当選したことを知らせるリーチ目の組み合せを表示する機能等、報知機能や演出動作機能やデモンストレーション等のサービス機能があげられる。
【００２４】
　＜バックライト＞
　図１に示したリール絵柄表示窓１１５〜１１７に内部に格納されている３個のリール１０１、１０２、１０３は、図２に示すように１つのリールマウントに組み込まれている。各リールが停止した時にリール絵柄表示窓１１５〜１１７へ絵柄が表示される位置（９箇所）に対応して、各リール毎に３個の絵柄を裏側から制御に基づいて各々選択的に照らすように構成されたバックライトが取り付けられている。図２に示す参照番号２００、２０１、２０２は、リールが停止した時にリール絵柄表示窓１１５〜１１７上に表示される各絵柄を後ろから照らすようにバックライト２１０（代表して左リールの３個の絵柄に対応した部分に参照番号２１０が付してある）を縦方向に配置した基板（プリント基板）である。バックライトは、左リール１０１のバックライトとして左基板２００のＬ１、Ｌ２、Ｌ３があり、中央リール１０２のバックライトとしての中央基板２０１のＬ４、Ｌ５、Ｌ６があり、右リール１０３のバックライトとして右基板２０２のＬ７、Ｌ８、Ｌ９の合計９セットのバックライトが設けられている。これらのバックライトの光源としては、ＬＥＤや通常のランプ等絵柄を後ろより照明し、遊技者に演出を表現できるものであれば種類は問わない。以上、説明したバックライトＬ１〜Ｌ９の点灯／消灯／点滅の動作により、ゲームの進行に基づき種々の演出を行う。例えば、ルーレットを摸した演出等によりゲーム全体を盛り上げるようにしている。本発明の実施の形態例では、後述するように、このバックライトを用いて連続演出のパターンを表示する。
【００２５】
　＜制御部の構成＞
　図３は、本実施の形態例におけるスロットマシン１００における制御部の構成例を示す図である。参照番号２００は遊技全体を制御する制御部であり、参照番号２０１は遊技全体を盛り上げるための装飾用のランプ類や効果音などを制御するサブ制御部２０１、参照番号２０２は図１の参照番号１１１に示す液晶を制御する液晶制御部２０２である。
【００２６】
　（制御部２００）
　参照番号１０で示される部分は、本実施の形態例におけるスロットマシンの制御動作の中枢となるマイクロプロセッサ（以降ＭａｉｎＣＰＵと称す）で、バス３０を介して周辺部との制御信号やデータの受渡しを行う。参照番号１１は各ゲームにおける入賞役（ハズレを含む）等の抽選に用いる乱数発生器であり、バス３０を介して、ＭａｉｎＣＰＵ１０に接続されている。参照番号１２はメダル投入口１１８より投入された遊技メダルを感知するためのメダルセンサー、参照番号１３は遊技者が各リールを停止させるために押下したストップボタン１２３〜１２５の信号又は停止スイッチ１３３からの入力を検知するための停止ボタンスイッチ、参照番号１４はスタートレバー１２６が操作されたことを感知するセンサ、参照番号１５はクレジットベットボタン１１９〜１２１のいずれかが押されたことを検知するためのクレジットベットボタンスイッチ、参照番号１６はメダルを払い出すホッパーに併設されたホッパータンクから補助タンクに溢れ出たメダルが規定量を超えたことを感知するためのオーバーフローセンサーであり、これらは入力インターフェース１７を経て、バス３０を介し、ＭａｉｎＣＰＵ１０と接続されている。
【００２７】
　参照番号１８はＲＯＭ（リード・オンリー・メモリ）であり、本実施の形態例におけるスロットマシンのフレームワーク部分等の制御を行うためのプログラムや、前記リール１０１〜１０３の停止制御を行うための制御データやテーブル等を含んでおり、参照番号１９はＲＡＭ（ランダム・アクセス・メモリ）であり、プログラムのワークエリアや可変データ等を記憶する部分で、これらのＲＯＭ１８ならびにＲＡＭ１９のメモリは、バス３０を介してＭａｉｎＣＰＵ１０に接続されている。参照番号２０はリール１０１〜１０３の回転あるいは停止を行うためのモータ制御部、参照番号２１はメダルの払出を行うためのホッパー制御部であり、これらは入出力インターフェース２２を経てバス３０を介してＭａｉｎＣＰＵ１０へ接続されている。
【００２８】
　参照番号２３はボーナスに内部当選していることを遊技者に内部情報として知らせるための告知ランプ１０４や、リール絵柄表示窓上に停止した絵柄の組合せが入賞であることを遊技者へ知らせるＷｉｎランプ１０５や、ゲームが開始されたことを遊技者に知らせるためのスタートランプ１０６や、ゲームを開始したときに前回ゲームからの経過時間が規定以下であることを遊技者に知らせるためのウエイトランプ１０７や、再遊技のゲームに入賞していることを遊技者に知らせるリプレイランプ１０８や、貯留されているメダルの残枚数を表示するためのクレジット表示器１０９や、メダルの投入を遊技者に促すインサートランプ１１０や、ボーナス回数等のゲーム状態を表示する３桁７セグメント表示器１１２や、入賞により払い出されるメダルの枚数を表示するペイアウト表示器１１３や、遊技台に投入されたメダル枚数に対応した有効入賞ラインを表示する有効ライン表示ランプ１１４等を制御するランプ制御部であり、これらのランプ類はバス３０と出力インターフェース２４を介してＭａｉｎＣＰＵ１０と接続され、ＭａｉｎＣＰＵ１０の制御に従い、点灯／消灯／点滅の制御がなされる。従って、遊技者はこれらのランプ類を参照することによりゲームの進行状況が確認できることになる。また、上述のランプ制御部２３の制御内容に加えて、リール１０１〜１０３を上側、または下側から照らす照明の制御、絵柄を裏側から照明するバックライトの点灯／点滅／消灯の制御、または装飾用としてのフリッカー表示ランプ１３２等の制御を行うようにしても何ら問題ない。
【００２９】
　（サブ制御部２０１）
　参照番号Ｓ１０は、ＭａｉｎＣＰＵ１０の制御部からの信号を出力インターフェース２５から入力インターフェースＳ１６で受けバスＳ３０を介して、各々の遊技状態に対応してその周辺部と制御信号等のデータの受渡しを制御するマイクロプロセッサ（以降ＳｕｂＣＰＵと称す）である。参照番号Ｓ１１はリード・オンリー・メモリ（ＲＯＭ）であり、本実施の形態例におけるスロットマシンのランプ類、および効果音やＢＧＭ等の音楽の制御を行うためのプログラムや、制御データ等を含んでおり、参照番号Ｓ１２はランダム・アクセス・メモリ（ＲＡＭ）であり、プログラムのワークエリアや可変データ等を記憶する部分で、これらのＲＯＭ　Ｓ１１、ならびにＲＡＭＳ１２のメモリは、バスＳ３０を介してＳｕｂＣＰＵＳ１０に接続されている。
【００３０】
　参照番号Ｓ１３は、リールの絵柄を裏から照明するバックライトの点灯／点滅／消灯の制御、リール１０１〜１０３を上側、または下側から照らす照明の制御を行う制御部であり、これらは出力インターフェースＳ１５を経てバスＳ３０を介してＳｕｂＣＰＵＳ１０へ接続されている。なお、リール１０１〜１０３を上側、または下側から照らす照明の制御は、上述の制御部Ｓ１３以外にも、電源投入時にインバータ基板を通して行うようにしても良いことはいうまでもない。即ち、ＳｕｂＣＰＵＳ１０により制御されなくても良い。参照番号Ｓ１４は、フリッカー表示ランプ１３２等のランプ類をボーナス入賞時、または各ゲーム状態に応じて演出、または装飾用として点灯／点滅／消灯の制御を行うランプ制御部であり、出力インターフェースＳ１５とバスＳ３０を介してＳｕｂＣＰＵＳ１０に接続されている。参照番号Ｓ１９はスピーカーであり、ＳｕｂＣＰＵＳ１０から受け渡された制御信号やデータを出力インターフェースＳ１７を介してＳ１８のアンプで増幅し、ＳｕｂＣＰＵＳ１０からの指示に従い、各々の効果音及びＢＧＭを出力する。
【００３１】
　（液晶制御部２０２）
　参照番号Ｌ１０はＳｕｂＣＰＵ　Ｓ１０の制御部からの信号を出力インターフェースＳ２０から入力インターフェースＬ１１で受けバスＬ３０を介して、ＬＣＤ（液晶）Ｌ１８を制御する制御データ等の受渡しを行うマイクロプロセッサ（以降ＬｃｄＣＰＵと称す）である。ここで、ＳｕｂＣＰＵＳ１０の状態によっては、ＭａｉｎＣＰＵ１０による出力インターフェース２５からの信号を、ＳｕｂＣＰＵＳ１０の入力インターフェースＳ１６とバスＳ３０と出力インターフェースＳ２０を介して直接受け取ってもよい。参照番号Ｌ１２はＲＯＭ（リード・オンリー・メモリ）であり、ＬＣＤ（液晶）を制御するための制御データ等を含んでおり、参照番号Ｌ１３はＲＡＭ（ランダム・アクセス・メモリ）であり、ＬｃｄＣＰＵＬ１０の制御用のワークエリアとして使用され、これらのＲＯＭＬ１２ならびにＲＡＭＬ１３のメモリは、バスＬ３０を介してＬｃｄＣＰＵＬ１０に接続されている。
【００３２】
　参照番号Ｌ１４はビデオ・ディスプレイ・プロセッサー（ＶＤＰ）であって、ＬＣＤ（液晶）画像を制御するマイクロプロセッサである。参照番号Ｌ１５はＲＯＭ（リード・オンリー・メモリ）であり、画像を制御するための画像データを格納している。また、参照番号Ｌ１６はＲＡＭ（ランダム・アクセス・メモリ）であり、ＶＤＰＬ１４の制御用のワークエリアとして使用され、これらのＲＯＭＬ１５ならびにＲＡＭＬ１６のメモリは、ＶＤＰＬ１４に直接接続されている。参照番号Ｌ１８は、リキッド・クリスタル・ディスプレイ（ＬＣＤ）、即ち液晶表示装置である。この液晶表示装置は、出力インターフェースＬ１７を介して、ＶＤＰＬ１４に接続されている。なお、図３において、プログラム容量や応答時間などに支障がなければ、ＳｕｂＣＰＵやそれに係るメモリの部分等は、ＭａｉｎＣＰＵに包含してもよいことはいうまでもない。
【００３３】
　＜語句の説明＞
　以降の本発明の実施の形態で用いる特殊用語の幾つかを説明する。
「ビタ押し」
　遊技者が、ある絵柄を所定の位置に停止させるために、停止させたい絵柄が所定の位置を通過するときに、目視によりストップボタンを操作することをいう。
「リール停止制御」および「滑りコマ数」
　遊技者によりストップボタンが操作され、（遊技台の制御部により）リールを停止させるときに、ボーナス等の入賞役を示すフラグに対応する絵柄を揃えるように制御したり、あるいはフラグが成立していない役を揃えないように、リールの停止位置を制御することをいう。一般的に、ある入賞役のフラグが成立している場合、その入賞役を構成する絵柄をビタ押しして揃えることもできるが、例えば、該当の絵柄が入賞ラインの４絵柄手前に位置しているときにストップボタンを操作しても、リール停止制御により「４」絵柄分リールを進め、該当の絵柄を入賞させることができる。この場合、滑りコマ数が「４」であるという。
【００３４】
　「フラグの成立、保持」
　乱数発生器で発生した乱数の抽選により、内部入賞役が決定されるとフラグが成立したといい、内部的にフラグをセットする（立てる）。そこで、所定の入賞役のフラグが成立すると、遊技者によるストップボタンの操作タイミング如何により、その該当役を有効入賞ライン上に揃えることができる。なお、ボーナス絵柄に関するフラグが成立した場合等に限っては、該当する絵柄の組み合わせが揃いぼーなすに入賞するまで、フラグが成立したゲーム以降のゲームにおいてもフラグ成立常態が維持され、ボーナスに入賞する機会が与えられる。これを「フラグの保持」という。
【００３５】
　「取りこぼし」
　ある入賞役のフラグが成立（内部入賞状態）している場合に、遊技者がその役を有効入賞ライン上に揃えられない時のことをいう。ここで、ある入賞役が小役であれば、そのフラグは次のゲーム以降に保持されないので、メダル獲得の機会を失うことになる。
「差枚数カウンタ」
遊技者がゲームを行なうために遊技台に投入するメダル枚数と、入賞により払い出されるメダル枚数の差をカウントするカウンタであって、このカウンタの値が所定の値に達することにより、ゲームの状態を、例えば、小役の入賞に関し、「高確率」と「低確率」の状態間を遷移させる機能を有する。具体的には、内部入賞しているにもかかわらず、該当の入賞役を揃えられない場合が増え、カウンタ値がある所定の値に達すると、「差枚数カウンタ」により、ゲーム状態が「高確率状態」となり、小役の入賞確率が上昇し、以前取りこぼした小役のメダル損失が補正（救済）される。また、「高確率状態」において、入賞回数が増加し、配当メダルが増えると、カウンタの値が所定の値に達し、小役の「低確率状態」へと移る。
【００３６】
　「引き込み制御における＜テーブル方式＞」
　あらかじめ何種類かの停止パターンデータ（データテーブル）を用意しておき、状況にしたがってそれらのテーブルを参照し、停止パターンデータに従い、所定範囲内の「滑りコマ数」で「リール停止制御」を行なうリール制御の一手法。  「リーチ目」
内部入賞したゲームにおいて、該当する絵柄の組み合わせが揃えられなかった場合、通常とは異なる所定の組み合わせの絵柄をリール絵柄表示窓上に表示するようにして「リール停止制御」を行い、「リーチ目」遊技者に知らせる。遊技者は、ボーナス入賞に関するリーチ目を見たならば、ボーナス内部入賞状態になっていると推定し、ボーナス絵柄がリール絵柄表示窓上に揃うようにストップボタンを押す（狙い打ち）ことになる。
【００３７】
　＜ゲーム操作の概略＞
　以下図１に示すスロットマシンによるゲームの概略について説明する。ゲームの開始は、遊技者がメダル投入口１１８からメダルを投入し、スタートレバー１２６を操作することにより開始する。ゲームが開始すると、３つのリール１０１、１０２、１０３が回転を開始し、各リールの回転速度が所定の速度に達した後に、各リールに対応して設けられたストップボタン１２３〜１２５の操作が有効化されるので、遊技者はこれらのボタンを押下し、対応するリールの回転を停止させる。各リール１０１〜１０３が停止した時に、メダルの投入枚数によって決まる有効入賞ライン上で停止した絵柄の組み合わせが所定の入賞組み合わせに該当していれば、入賞の種類に応じた枚数のメダルを受皿１２９に払い出し１回のゲームが終了する。
【００３８】
　＜一般的のゲーム進行＞
　以上説明したようなスロットマシンの一般的ゲームの進行をフローチャートにすると図４のようになる。以下３リールを用いた一般的スロットマシンのゲームの流れを図４を用いて説明する。なお、これ以外の複数リールを有するスロットマシンも同様である。
【００３９】
　ステップＳ１０１：（メダル投入）
　遊技者の選択により１〜３枚の遊技メダルをメダル投入口１１８から投入するか、またはクレジットベットボタン（メダル最大３枚掛けボタン１１９、メダル最大２枚掛けボタン１２０、メダル１枚掛けボタン１２１）から選択して押下する。この時、投下する遊技メダルの枚数に応じて有効ライン表示ランプ１１４が点灯し、ゲームができる状態であることを遊技者に報知（表示）する。メダルの投入がない場合は、ループにより、メダルが投入されるまで待機する。
ステップＳ１０２：（スタートレバー ON）
スタートレバー１２６が操作されると、スタートレバーセンサ１４がＯＮになり、ＭａｉｎＣＰＵ１０はスタート操作の受付けを検知しゲームが開始される。
【００４０】
　ステップＳ１０３：（乱数抽選）
遊技者によるスタートレバー１２６の操作と同時に、制御部は乱数発生器１１から乱数値を取得し、その値とＲＯＭ１８内に格納されている入賞テーブルの比較を行い、内部入賞が決定される。この内部入賞の種類としては、ＢＢやＲＢなどのボーナスゲーム、小役の各種類およびハズレがある。
ステップＳ１０４：（内部情報の報知１）
ステップＳ１０３で内部入賞の種類が決定されるので、それらの情報を信頼度を加味して報知する。ここで、報知する手段としては、バックライトなどのランプ類、効果音、画像表示装置等が挙げられる。なお、ボーナスに内部入賞した場合、告知ランプにより報知をしても良い。
【００４１】
　ステップＳ１０５：（全リール回転）
全リール１０１、１０２、１０３の回転を開始する。
ステップＳ１０６：（第１リールのストップボタン操作）
遊技者により、ストップボタン１２３〜１２５のうちの一つを操作し、対応するリールを停止させる。
ステップＳ１０７：（第１リール回転停止）
ステップＳ１０６において、遊技者が操作したストップボタンに対応したリールが回転を停止する。
ステップＳ１０８：（内部情報の報知 ２）
ステップＳ１０４と同様に内部入賞情報を報知する。あるいは、例えば、内部入賞役を構成する絵柄が、停止させた第１リールの有効入賞ライン上に現れた場合、期待感を高める意味でバックライトを点灯・点滅させる等の演出効果を出すことができる。
【００４２】
　ステップＳ１０９：（第２リールのストップボタン操作）
遊技者により、回転中の２リールのうち、遊技者が選択するリールに対応するストップボタンを操作する。
ステップＳ１１０：（第２リール回転停止）
ステップＳ１０９において、遊技者が操作したストップボタンに対応したリールの回転を停止する。
ステップＳ１１１：（内部情報の報知 ３）
ステップＳ１０４と同様に内部入賞情報を報知する。あるいは、例えば、入賞役を構成する絵柄の組み合わせがリーチ状態になった場合、その状態を遊技者に報知するために特別な効果音を発等の演出効果を出すことができる。
ステップＳ１１２：（第３リールのストップボタン操作）
遊技者により、回転中の１リールに対応するストップボタンを操作する。
ステップＳ１１３：（第３リール回転停止）
ステップＳ１１２において、遊技者が操作したストップボタンに対応したリールが回転を停止する。
【００４３】
　ステップＳ１１４：（入賞判定）
入賞に相当する絵柄の組み合わせが有効入賞ライン上に揃っているか否かの判定を行う。すなわち、入賞に相当する絵柄の組み合わせが、入賞テーブルとしてＲＯＭ１８内に格納されているので、この入賞テーブルと入賞有効ライン上の絵柄の組み合わせを比較することにより、入賞判定がなされる。ここで、入賞している場合は、ステップＳ１１５へ進み、入賞に該当していない場合はステップＳ１１６へ進む。なお、上記では、「絵柄の組み合わせ」ということで、複数の絵柄により入賞が判定される事例を述べたが、例えば、「チェリー」絵柄に代表される一つの絵柄のみで入賞となる場合についても全く同様に入賞判定が実施される。
ステップＳ１１５：（メダル払出）
ステップＳ１１４の入賞判定の結果、入賞の種類に応じた所定枚数のメダルをメダル払出し口１２８より、メダル受け皿１２９に払い出す。
ステップＳ１１６：（内部情報の報知 ４）
ステップＳ１０４と同様に内部入賞情報を報知する。あるいは、一例として、取りこぼした入賞役に関する情報の報知や、ボーナス絵柄が揃った場合などに、特別な効果音による報知等の演出を行うことができる。なお、内部情報の報知１〜４については、１ゲームにおいて全て報知を行う必要は必ずしもなく、また、内部情報の報知１〜４以外の任意のタイミングで報知することもできることはいうまでもない。
【００４４】
　＜本発明の実施の形態例でのゲームの進行＞
　本発明の実施の形態例であるスロットマシンにおける連続演出について、更に２つの例を挙げ、具体的に説明する。なお、最初の例は、現在実行されているゲームで実施される演出が、前回のゲームの実行で行われた演出内容により導きだされる連続演出１（連動演出）の形態を示す。また、次の例は、前回のゲームの実行で行われた演出内容と、遊技台の内部情報から、今回のゲームで実施される演出の内容をが決める連続演出２（連動演出）の形態を示す。
【００４５】
　（連続演出１）
　連続演出１は、現在実行されているゲームで実施される演出が、前回のゲームの実行で行われた演出内容により導きだされる連続演出１（連動演出）の例であり、以下図５の制御フローを用いて詳細に説明する。なお、フローチャート図５は、内部情報の報知が、乱数抽選の後にのみ行われることを除いては、図４と同じであるため、重複する部分（Ｓ１０１〜Ｓ１０３＝Ｓ２０１〜Ｓ２０３、Ｓ１０５〜Ｓ１０７＝Ｓ２０５〜Ｓ２０７、Ｓ１０９〜Ｓ１１０＝Ｓ２０８〜Ｓ２０９、Ｓ１１２〜Ｓ１１５＝Ｓ２１０〜Ｓ２１３）を割愛し、ステップＳ２０４（図４のステップＳ１０４の位置に相当する）のみを説明する。
【００４６】
　ステップＳ２０４：（内部情報の報知 ）
連続演出が開始されている時は、前回ゲームで実施された連続演出の内容により、今回のゲームで行われる演出の内容が抽選により決められる。なお、連続演出がなされていない場合は、図４による従来のゲーム進行に関するフローチャートと同様の演出をすることができる。ここで、報知する連続演出の種類とその演出内容について、図６および図７を用い詳細に説明する。
【００４７】
　連続演出１の演出内容は、図６に示す遊技状態（Ａ、Ｂ）により変化することになる。ここで、本例では遊技状態「Ａ」をボーナス内部入賞状態時、遊技状態「Ｂ」をボーナス内部未入賞状態時とする。また、前回の遊技の演出結果を図６に示すように、遊技状態Ａの場合は、演出なし、Ｅ１、Ｅ２、Ｅ３、Ｅ４とし、遊技状態Ｂの場合は、演出なし、Ｅ１、Ｅ２、Ｅ３として、今回のゲームで演出するために前回の遊技の演出結果より、今回の演出を「抽選する演出」演出なし、Ｅ１、Ｅ２、Ｅ３、Ｅ４の中より抽選で決定する。これらの演出動作は、図７に示すように、連続演出の種類である、「Ｅ１」、「Ｅ２」、「Ｅ３」の演出内容を、リール絵柄表示窓上の３×３＝９個の絵柄に対応したバックライトを点灯あるいは消灯させるものとする。図７では、「四角」は点灯状態を示し、「黒く埋めた四角」は消灯状態を示しす。「Ｅ１」等のパターンを例えば、８５０ミリ秒程度遊技者に対して点灯／消灯表示すればよく、演出「Ｅ４」は告知ランプの作動（点灯）とする。図６の抽選する演出において、「２重丸」、「丸」、「バツ」はそれぞれ、演出が選択される抽選確率を示し、「バツ」は抽選確率が「０」で、その演出が選択されないことを意味する。「２重丸」および「丸」は抽選確率が０を超え、かつ１未満である。なお、「２重丸」と「丸」の抽選確率の程度は、０＜（「丸」の抽選確率）＜（「２重丸」の抽選確率）＜１である。
【００４８】
　次に、遊技状態「Ａ」（ボーナス内部入賞状態時）における連続演出の表示内容を説明する。まず、遊技者が現在、ｎゲーム目を遊技しており、（ｎ-１）ゲーム目における演出がされなかった場合、ｎゲームでの演出は、図６より、「前回遊技の結果」より「演出なし」の横軸を見て、演出「Ｅ１」、「Ｅ２」、「Ｅ３」、「Ｅ４」のいずれか、あるいは「演出なし」が抽選により選択されることになる。これらの中で演出「Ｅ１」が選択される確率は、他の演出（「演出なし」を含む）が選択される確率より高いことになる。抽選の結果、「Ｅ１」が選択されると、ｎゲーム目での演出は「Ｅ１」となり、ここで連続演出が開始される。
【００４９】
　次に、ｎゲームで演出「Ｅ１」が選択された場合、（ｎ+１）ゲーム目における演出は、図６より同様に、演出「Ｅ１」、「Ｅ２」、「Ｅ３」、「Ｅ４」のいずれか、あるいは「演出なし」が抽選により選択されることになり、なかでも演出「Ｅ２」が選択される確率は、他の演出（「演出なし」を含む）が選択される確率より高く、例えば、ここでは（ｎ+１）ゲーム目での演出として「Ｅ２」が抽選により選択され、演出を行なうこととなる。以下、（ｎ+２）ゲーム以降において抽選により選択される演出を、確率に基づいて考えると、（ｎ+２）ゲーム目の演出が「Ｅ３」、（ｎ+３）ゲーム目の演出が「Ｅ４」の順で選択されることになる。
【００５０】
　以上のことより、「遊技状態Ａ」における演出の内容の変化は、概ね、「演出なし」→「Ｅ１」→「Ｅ２」→「Ｅ３」→「Ｅ４」となり、最終的に、告知ランプが作動し、遊技者にボーナス内部入賞状態を報知する。なお、上記は、確率に基づいて演出が選択される場合を示したが、これ以外にも、低い確率が選択される場合として、例えば、「演出なし」→「Ｅ１」→「Ｅ２」→「演出なし」→「Ｅ３」→「Ｅ４」のような経路をたどって遊技者にボーナス内部入賞状態を報知する場合も存在する。
【００５１】
　以上説明したように、本発明によれば、連続する複数ゲームにおいて、種類の異なる演出が上述のようにある所定の順序で関連性を持って、連続的になされるとき、遊技者はボーナス入賞への期待感を持ってゲームを楽しみながら行うことができる。
【００５２】
　一方、遊技状態「Ｂ」（ボーナス内部未入賞状態時）における連続演出の表示内容は、図６に示すように、演出「Ｅ４」が選択されることがない。これは、ボーナスフラグが未成立状態であるため、告知ランプの作動が行われないことを意味する。ただ、このようにボーナス内部未入賞状態であっても、上述の連続演出を行うことによって、遊技者にボーナス入賞の期待感を与えることができるため、遊技状態「Ｂ」における演出も本発明の範囲内における例である。
【００５３】
　本例では、連続演出をバックライトを用いてその点灯・消灯状態で表現することを図７を用いて説明したが、これは一例であり、多種多様な点灯・点滅・消灯状態を用いることができることはいうまでもない。また、連続演出の実施は、バックライト以外のランプ類や、画像表示装置や、遊技台の操作部に振動を与える振動発生装置や、音声等遊技者の五感に訴えることができる装置により行うことができる。
【００５４】
　以上の例では、抽選により、次のゲームで行われる演出内容を選択したが、例えば、「Ｅ１」→「Ｅ２」→「Ｅ３」→「Ｅ４」のように、連続するゲームで実施される連続演出の内容を抽選によらず固定して、一義的に決めてしまう方法であっても良い。
【００５５】
　（連続演出２）
　連続演出２は、前回のゲームの実行で行われた演出内容と、遊技台の内部情報から、今回のゲームで実施される演出の内容を決める連続演出（連動演出）の例である。以下、図８に示す制御フロー用いて、連続演出２の例の制御の流れ（連続演出のみ）を詳細に説明する。なお、本例では、メダルの投入や、スタートレバーの操作、ストップボタンの操作等割愛して説明する。また、本例の連続演出は、ゲームの中にどのようなタイミングで取り入れてもよいことはいうまでもない。
【００５６】
　ステップＳ３０１：（抽選当選？）
連続演出を開始するかどうかの抽選を行う。抽選は、内部入賞役を決定する乱数抽選器あるいは別個に設けられた連続演出用の乱数抽選器を用いて実施することができる。抽選に当選した場合は、連続演出を始めるためステップＳ３０３へ進む。一方、抽選に当選しなかった場合には、ステップＳ３０２へ進む。
ステップＳ３０２：（ボーナス内部入賞？）
抽選に当選しなくても、ボーナス内部入賞している場合には、抽選に当選した場合と同様、連続演出が開始される。ここで、ボーナス内部入賞していなければ、連続演出は開始されることはない。
【００５７】
　ステップＳ３０３：（「レベル１」演出）
「レベル１」の連続演出が開始され、液晶上に該当の画像が表示される。具体例としては、日本の港を大型クルーズ船がハワイ、ニューヨーク、ロンドンを経由して最終目的地である、パリに向け出発する風景が映し出される。
ステップＳ３０４：（小役内部入賞？）
「レベル１」の画像が表示されたゲームにおいて、配当メダル枚数の少ない小役に内部入賞した時は、その次のゲームにおいても引き続き「レベル１」の画像を表示させることとする。これは、遊技者による小役入賞に費やした１ゲームを考慮して、連続演出を１ゲーム多く実施するのが適当であることおよび同一レベルの連続演出がなされた場合、遊技者に前回のゲームが小役内部入賞状態であったことの情報を付与する理由に基づく。
【００５８】
　ステップＳ３０５〜Ｓ３１０：
液晶画面に表示する内容が「レベル」によって異なることを除けば、ステップＳ３０５、３０７および３０９はステップＳ３０３と同じ内容であり、また、ステップＳ３０６、３０８および３１０はステップＳ３０４と同様の処理を行う。　なお、「レベル２〜４」において液晶画面に表示する内容は次のとおりである。
「レベル２」：クルーズ船のハワイ到着の風景。
「レベル３」：クルーズ船のニューヨーク到着の風景。
「レベル４」：クルーズ船のロンドン到着の風景。
【００５９】
　ステップＳ３１１：ボーナス内部入賞？
ボーナスに内部入賞しているかどうかの判定を行い、ボーナス内部入賞している場合、ステップＳ３１２へ進み、一方、ボーナスに内部入賞していない場合には、例えば、クルーズ船が沈没・遭難することなどにより、連続演出を停止させる。
ステップＳ３１２：「レベル５」演出
クルーズ船の最終目的地である、パリ近郊到着の風景を液晶画面に映し、ボーナスに内部入賞している情報を遊技者に報知する。この時、画面上に「ボーナス入賞！！」と表示させても良い。更に、内部入賞したボーナスの種類（ＲＢ、ＢＢ等）を液晶画面に表示させても良い。
ステップＳ３１３：小役内部入賞？
前述のステップＳ３０４と同様の処理を行う。
【００６０】
　ステップＳ３１４：告知ランプ点灯？
告知ランプが作動し、点灯・点滅等の状態にあるかどうかの判定を行い、告知ランプが作動している場合には、ステップＳ３１５へ進み、作動していない場合には、ステップＳ３１２へ戻り、再び演出「レベル５」を繰り返す。
ステップＳ３１５：連続演出終了
ステップＳ３１４で、告知ランプが作動したことにより、ボーナス内部入賞状態が確定されたため、連続演出を終了させる。
【００６１】
　ステップＳ３１６：ボーナス入賞？
ゲームにおいて、「７-７-７」などのボーナス絵柄の組み合わせが有効入賞ライン上に揃ったかどうか判定し、揃った場合には、ステップＳ３１７へ進む。ボーナス絵柄の組み合わせが揃わなかった場合には、揃うまでステップＳ３１６を繰り返す。
ステップＳ３１７：メダル払出
ボーナス入賞により、所定枚数のメダルを遊技者に払い出す。
ステップＳ３１８：ボーナス入賞演出
ボーナス入賞したことを遊技者に知らせる演出を実行する。具体的には、液晶画面上での表示、効果音や振動の発生、ランプ類の点灯・点滅などによりゲームを盛り上げ、優越感等を高めるように報知する。その後、高確率で入賞できる状態を所定のゲーム数に限り実行する制御を開始する。
【００６２】
　以上の例では、連続演出の内容を決めるために、前回のゲームにおける小役内部入賞情報を用いたが、これ以外にも遊技台の内部情報として、差枚数カウンタの状態（高確率、低確率）や実際の小役の入賞状況、入賞した小役の種類などを適宜、演算して連続演出の内容を決定することができる。更に、ここでは、ゲームの進行に伴い「レベル」の値を増加させることにしているが、ゲームの期待感を一層高めるために、連続演出中で、いったん「レベルダウン」させるように液晶画面に表示することもできる。また、図８のフローチャートでは、連続演出が、「レベル１」から始まることになっているが、成立したボーナスフラグの種類等によって、例えば、いきなり「レベル２」や「レベル３」から開始されるようにしても良い。また、レベルの値のアップは、連続演出２の例のように１ゲーム経過により実行しても良いし、それ以外では、例えば、所定のゲーム数の経過毎に行っても良い。以上本発明の実施の形態を詳細に説明したが、更に本発明は、次に挙げる各事項等を含むことはいうまでもない。
【００６３】
　（１）連続演出はバックライトおよび液晶を用いて報知するとしたが、これ以外にも音声合成等の効果音、振動装置、７セグメント表示器等人間の五感に訴えることができるものであれば特に限定されず、更に、これらのデバイスを組み合わせることもできる。その具体例としては、効果音を用いる場合として、連続演出１における「Ｅ１」状態を音階の「ドレミ」、「Ｅ２」状態を同じく音階の「ファソ」、「Ｅ３」状態を「ラシ」、あるいはランプを用いる場合として、インジケータとして告知ランプの下に３つのランプ「Ｅ１」、「Ｅ２」、「Ｅ３」を配置し、演出の種類の対応したインジケータランプを点灯させる、または、振動装置を用いる場合として、演出の種類の応じて操作部の振動の度合いを変化させるなどの手法が挙げられる。
（２）連続演出を開始するタイミングとしては、（ａ）ボーナス内部未入賞時における抽選によって選択されたゲーム、（ｂ）ボーナスに内部入賞した当該ゲーム、（ｃ）ボーナス内部入賞ゲームから所定ゲーム数経過後のゲーム、（ｄ）ボーナス内部入賞ゲーム以降のゲームにおいて、抽選によって選択されたゲーム　等が挙げられる。
（３）連続演出の種類や「レベル」の設定数および連続演出の発生確率は、ゲームの期待感を高める目的に照らし合わせ、任意に設定することができる。
【００６４】
　（４）ボーナス内部入賞状態下において、連続演出が開始された場合、連続演出が終了する前の段階でボーナス入賞してしまう場合が発生し、興趣の欠けたゲーム性となる場合がある。従って、このような不具合を避け、連続演出が終了した後でボーナスゲームに入賞させるようにゲーム性を構築するには以下の手法を採用することができる。
【００６５】
　第１の手法としては、連続演出の初期段階においては、ボーナス絵柄が「ビタ押し」でしか揃わないように「滑りコマ数」を制御する。この場合、３リール毎の全ての絵柄を「ビタ押し」で揃えるのはかなり困難なので、「取りこぼし」が発生することが多い。そして、連続演出レベルが進むに従って、徐々にリール停止制御の「滑りコマ数」を増やしていく、すなわち、ボーナス絵柄の引き込み率を「悪→良」にする。この手法により、徐々にボーナス絵柄を有効入賞ライン上に引き込みやすくなるため、多くの遊技者は、連続演出終了後に、ボーナス入賞を果たすことになる。
【００６６】
　他の手法としては、連続演出時に用いるリール制御データテーブルを複数用意し、それらの個々の内容としては、ボーナス内部入賞しているにもかかわらずボーナス絵柄に関するリーチ目がほとんど出現しない「バラケ目」、ボーナス内部入賞を期待させるもののボーナス内部入賞しているかどうか確実ではない「チャンス目」および確実にボーナス内部入賞していることがわかる「鉄板目」などを用いて制御する。ここで、例えば、連続演出初期には「バラケ目」のデータテーブルを用い、連続演出中期には「チャンス目」のデータテーブルを用い、連続演出後期には「鉄板目」のデータテーブルを用いる等、変化を持たる。すると、遊技者は連続演出が行われている初中期段階では、容易に当選フラグが判別できないので、ボーナスに内部入賞しているとわかりにくくなる。従って、ボーナス内部入賞状態下において、連続演出が終了した後でボーナスゲームに入賞させるようにゲーム性を構築するには、これらの２手法のどちらかを採るか、あるいはこれらを組み合わせて用いるなどなど多くの変化を付けることができる。
【００６７】
　（５）連続演出を実施するタイミングは、フローチャートに示された以外の任意のタイミングで行うことができる。１例としては、個々のリールが停止した時、全リールが停止した時、ゲームに支障がないようなタイミング、あるいは、更に複数のこれらのタイミングを組み合わせたものであってもよい。
（６）連続演出１、連続演出２で説明した連続演出はボーナス告知ランプの作動以前のゲームにおいて実施することにしているが、告知ランプの作動と無関係に実施しても良い。更に、ゲームの期待感を高めるため、ボーナス中における連続演出の実施も可能である。
（７）本発明の実施の形態例においては、１ゲーム終了ごとに演出内容が変化するように制御しているが、これにとらわれず、例えば、連続する数ゲームにおいて、同じ演出を維持・報知したり、あるいは、１ゲーム内においても複数回の演出を行い、「レベル２」および「レベル３」のような二階級の報知をすることもできる。
（８）本発明の実施の形態では、ボーナス入賞への期待を背景に、入賞の内部フラグ成立を基に連続演出を説明したが、ボーナス以外にフラグを保持できる入賞役がある場合には、その入賞役に対しても同様に連続演出を設定することができることはいうまでもない。
【００６８】
　以上本発明を実施の形態に従って詳細に説明したように、本発明によれば、
　連続する複数のゲームにまたがり、内容が異なり、かつ相互に関連性のある連続演出を行う機能をのある遊技台を提供することにより、遊技者がゲームをあきずに期待感を持って行なうことのできる遊技台を提供できる。即ち、本発明によれば、前回のゲームでの演出内容により今回のゲームでの演出内容が導きだされる演出を行なったり、又は前回のゲームでの演出内容および前回ゲームでの遊技台の内部情報により今回のゲームでの演出内容が導きだす連続演出により、遊技者はゲームの面白味と期待感を増すことができる。
【００６９】
　具体的な連続演出としてリールの停止制御を例にとると、ボーナスに内部入賞している場合、リール停止制御の滑りコマ数をゲームの進行に伴い増加させるというリールの停止制御による連続演出や、リール停止の制御を行なうデータテーブルをボーナス絵柄に関するリーチ目がほとんど出現しないデータテーブルから、確実にボーナスに内部入賞していることが判るデータテーブルまで段階的に（複数）備え、ゲームの進行に伴い、順次、このボーナス絵柄に関するリーチ目がほとんど出現しないデータテーブルを使用する制御から、確実にボーナスに内部入賞していることが判るデータテーブルまでを使用する制御を行なう連続演出がある。
【００７０】
　また、ボーナスに内部入賞していない場合のリールの停止制御を例にとると、この場合も、ボーナスに内部入賞した場合と同様に、リール停止制御の滑りコマ数をゲームの進行に伴い増加させる制御を行い、途中でその制御を停止する制御を行なう連続演出や、データテーブルをボーナス絵柄に関するリーチ目がほとんど出現しないデータテーブルからボーナスに内部入賞していること期待させるもののボーナスに内部入賞しているか否か確実でないチャンス目が出現するデータテーブルまで段階的に複数備え、ゲームの進行に伴い、このボーナス絵柄に関するリーチ目がほとんど出現しないデータテーブルを使用する制御から、順次、ボーナスに内部入賞していることを期待させるもののボーナスに内部入賞しているか否かが確実でないチャンス目が出現するデータテーブルまでを使用する連続演出の制御を行い、遊技者の入賞の期待感を高め、ゲームを面白いものとすることができる。
【００７１】
　これら本発明による連続演出は、リールの停止制御によるものだけではなく、上述のように、画像表示装置（ＬＣＤ、ＣＲＴ、ＥＬ、ＬＥＤのアレイ、等など）や、効果音発生装置や、振動発生器装置や、発光装置等などで実施できることはいうまでもない。また、連続演出を開始するタイミングは、ボーナスに内部賞していないゲームにおける抽選による当選時や、ボーナスに内部入賞したときのゲーム時や、ボーナスに内部入賞したゲームより所定のゲーム数が経過した時や、ボーナスに内部入賞したゲーム以降における抽選による当選時等などが挙げられる。
【００７２】
　以上、本発明の実施の形態例をスロットマシンにより詳細に説明したが、パチンコ、ゲーム機等の打球遊技機に回転リールを設けた遊技台にも本発明を適用することができることはいうまでもない。
【図面の簡単な説明】
【００７３】
【図１】本発明の実施の形態例のスロットマシンの斜視図である。
【図２】本発明の実施の形態例のバックライトの構成図である。
【図３】本発明の実施の形態例のスロットマシン制御部のブロックダイヤグラムである。
【図４】一般的スロットマシンの演出制御を示すフローチャートである。
【図５】本発明の実施の形態例における連続演出１の場合のバックライトによる連続演出を説明するのフローチャートである。
【図６】本発明の実施の形態例における連続演出１において、連続するゲーム間における演出の相互関係を示す図である。
【図７】本発明の実施の形態例の連続演出時におけるバックライトの点灯・消灯パターンの１例である。
【図８】本発明の実施の形態例における連続演出２の液晶による連続演出を説明するためのフローチャートである。
【符号の説明】
【００７４】
１０　ＭａｉｎＣＰＵ
１１　乱数発生器
１２　メダルセンサー
１３　停止ボタンスイッチ
１４　スタートレバーセンサー
１５　クレジットベットボタン
１６　オーバーフローセンサー
１７　入力インターフェース
１８　ＲＯＭ
１９　ＲＡＭ
２０　モータ制御部
２１　ホッパー制御部
２２　入出力インターフェース
２３　ランプ制御部
２４　出力インターフェース
２５　出力インターフェース
３０　バス
Ｓ１０　ＳｕｂＣＰＵ
Ｓ１１　ＲＯＭ
Ｓ１２　ＲＡＭ
Ｓ１３　バックライト
Ｓ１４　上部表示ランプ
Ｓ１５　出力インターフェース
Ｓ１６　入力インターフェース
Ｓ１７　出力インターフェース
Ｓ１８　アンプ
Ｓ１９　スピーカー
Ｓ２０　出力インターフェース
Ｌ１０　ＬｃｄＣＰＵ
Ｌ１１　ＲＯＭ
Ｌ１２　ＲＡＭ
Ｌ１３　ＶＤＰ
Ｌ１４　ＲＯＭ
Ｌ１５　出力インターフェース
Ｌ１６　ＬＣＤ
１００　スロットマシン
１０１　左リール
１０２　中リール
１０３　右リール
１０４　告知アンプ
１０５　Ｗｉｎランプ
１０６　スタートランプ
１０７　ウエイトランプ
１０８　リプレイランプ
１０９　クレジット表示器
１１０　インサートランプ
１１１　液晶表示装置
１１２　３色３桁７セグメント表示装置
１１３　ペイアウト表示器
１１４　有効ライン表示ランプ
１１５　左リール絵柄表示窓
１１６　中リール絵柄表示窓
１１７　右リール絵柄表示窓
１１８　メダル投入口
１１９　メダル最大３枚掛ボタン
１２０　メダル最大２枚掛ボタン
１２１　メダル１枚掛ボタン
１２２　メダル精算ボタン／クレジット切換ボタン
１２３　左リールストップボタン
１２４　中リールストップボタン
１２５　右リールストップボタン
１２６　スタートレバー
１２７　音孔
１２８　メダル払出口
１２９　メダル受皿
１３０　オッズパネル
１３１　フリッカー表示ランプ（下側）
１３２　フリッカー表示ランプ（上側）
１３３　停止スイッチ
２００　左バックライト基板
２０１　中バックライト基板
２０２　右バックライト基板
２１０　バックライト
Ｌ１〜Ｌ９　リール絵柄表示窓から見える絵柄の各々に対応したバックライト
【図１】
2004033796.tif 000003
【図２】
2004033796.tif 000004
【図３】
2004033796.tif 000005
【図４】
2004033796.tif 000006
【図５】
2004033796.tif 000007
【図６】
2004033796.tif 000008
【図７】
2004033796.tif 000009
【図８】
2004033796.tif 000010